(57)【要約】【課題】遊技機１０に投入された入遊技媒体の計数器と、遊技機１０から賞出される景品遊技媒体の計数器とを、一ユニットとして部品を共通化したりまとめて構成することにより、大幅なコストダウンを図ることができると共に、省スペース化の要請にも応じることができ、配線処理も簡略化することが可能な遊技媒体計数器５０を提供する。【解決手段】パチンコ玉を案内する複数の案内路５２と、各案内路５２を通過するパチンコ玉を計数する計数手段５３とを備え、案内路５２は、入玉を案内する入玉案内路５２Ａと、景品玉を案内する景品玉案内路５２Ｂ１〜５２Ｂ３とから成り、入玉案内路５２Ａおよび景品玉案内路５２Ｂ１〜５２Ｂ３は一ユニットとして配置され、計数手段５３は、入玉案内路５２Ａに対応して設けられ、該入玉案内路５２Ａを通過する入玉を計数する入玉計数手段５３Ａと、景品玉案内路５２Ｂ１〜５２Ｂ３に対応して設けられ、各景品玉案内路５２Ｂ１〜５２Ｂ３を通過する景品玉を計数する景品玉計数手段５３Ｂ１〜５３Ｂ３とを備える。【選択図】図１
2005349062.tif 000002
【特許請求の範囲】
【請求項１】
遊技媒体を案内する複数の案内路と、各案内路を通過する遊技媒体を計数する計数手段と、を備えた遊技媒体計数器において、
前記案内路は、遊技者が遊技機で遊技に用いた遊技媒体である入遊技媒体を案内する入遊技媒体案内路と、遊技者が遊技機での遊技により獲得した遊技媒体である景品遊技媒体を案内する景品遊技媒体案内路と、から成り、前記入遊技媒体案内路および前記景品遊技媒体案内路は一ユニットとして配置され、
前記計数手段は、前記入遊技媒体案内路に対応して設けられ、該入遊技媒体案内路を通過する入遊技媒体を計数する入遊技媒体計数手段と、前記景品遊技媒体案内路に対応して設けられ、該景品遊技媒体案内路を通過する景品遊技媒体を計数する景品遊技媒体計数手段と、を備えることを特徴とする遊技媒体計数器。
【請求項２】
前記入遊技媒体計数手段により計数された入遊技媒体情報と、前記景品遊技媒体計数手段により計数された景品遊技媒体情報とを、それぞれ出力する出力手段を備えたことを特徴とする請求項１に記載の遊技媒体計数器。
【請求項３】
前記入遊技媒体計数手段と、該入遊技媒体計数手段により計数された入遊技媒体情報を出力する前記出力手段とは、前記入遊技媒体案内路に対応して設けられ、該入遊技媒体案内路を通過する入遊技媒体を検出する度に検出信号を出力するセンサから成ることを特徴とする請求項２に記載の遊技媒体計数器。
【請求項４】
前記景品遊技媒体計数手段と、該景品遊技媒体計数手段により計数された景品遊技媒体情報を出力する前記出力手段とは、前記景品遊技媒体案内路に対応して設けられ、該景品遊技媒体案内路を通過する景品遊技媒体を検知する度に検知信号を出力するセンサから成ることを特徴とする請求項２または３に記載の遊技媒体計数器。
【請求項５】
前記入遊技媒体案内路は、元々は前記景品遊技媒体案内路を成す複数並設された各案内路のうちの少なくとも１つを利用して構成したことを特徴とする請求項１，２，３または４に記載の遊技媒体計数器。
【発明の詳細な説明】
【技術分野】
【０００１】
本発明は、遊技媒体を案内する複数の案内路と、各案内路を通過する遊技媒体を計数する計数手段と、を備えた遊技媒体計数器に関する。
【背景技術】
【０００２】
従来、この種の遊技媒体計数器として一般的に知られているものに、例えば、特許文献１に記載されているような技術がある。すなわち、遊技者が遊技機に投入して遊技に用いたパチンコ玉は、アウト玉もセーフ玉も合わせて入玉として遊技機から排出されて、遊技機の背面側に設けてあるアウト玉収納部で一旦受け入れられた後に、アウト玉収納部に付設してあるアウト玉計数器により計数されていた。
【０００３】
また、遊技者が遊技機での遊技により獲得した景品玉は、遊技機の下部に設けてある計数玉通路の一端側の投入口より投入されて、該計数玉通路の末端側に取り付けてある景品玉計数器により計数されていた。このように、遊技機に設けられている遊技媒体計数器は一般的には、入玉を計数する計数器と、景品玉を計数する計数器とが、それぞれ全く別々の構成として互いに離隔した位置に配設されていた。
【０００４】
【特許文献１】特開平１０−２２５５６６号公報
【発明の開示】
【発明が解決しようとする課題】
【０００５】
しかしながら、前記特許文献１に記載された従来の技術では、入玉を計数する計数器と景品玉を計数する計数器とが、それぞれ別々に設けられているから、計数器自体の同様の構成部品が２組必要であると共に、それぞれの計数器に別々にパチンコ玉を導くための玉収納部や玉通路等の関連部品を設ける必要があり、部品点数や組み付け工数が増大し、遊技機ないし遊技機島内のコストアップの要因となるという問題があった。
【０００６】
また、各々の計数器ごとに、外部に計数結果を出力するための信号線を接続する必要があり、計数器に関する信号線が２系統になるため、外部装置との配線処理にも手間がかかるといった問題が生じていた。さらに、各計数器や配線等は、遊技機ないし遊技機島内の限られたスペースにおける組み付け性が良くないばかりでなく、他の部品の取り付けスペースが著しく制限される虞もあった。
【０００７】
本発明は、以上のような従来の技術が有する問題点に着目してなされたものであり、遊技機に投入された入遊技媒体の計数器と、遊技機から賞出される景品遊技媒体の計数器とを、一ユニットとして部品を共通化したりまとめて構成することにより、大幅なコストダウンを図ることができると共に、省スペース化の要請にも応じることができ、配線処理も簡略化することが可能な遊技媒体計数器を提供することを目的としている。
【課題を解決するための手段】
【０００８】
前述した目的を達成するための本発明の要旨とするところは、以下の各項の発明に存する。  
［１］遊技媒体を案内する複数の案内路（５２）と、各案内路（５２）を通過する遊技媒体を計数する計数手段（５３）と、を備えた遊技媒体計数器（５０）において、
前記案内路（５２）は、遊技者が遊技機（１０）で遊技に用いた遊技媒体である入遊技媒体を案内する入遊技媒体案内路（５２Ａ）と、遊技者が遊技機（１０）での遊技により獲得した遊技媒体である景品遊技媒体を案内する景品遊技媒体案内路（５２Ｂ１〜５２Ｂ３）と、から成り、前記入遊技媒体案内路（５２Ａ）および前記景品遊技媒体案内路（５２Ｂ１〜５２Ｂ３）は一ユニットとして配置され、
前記計数手段（５３）は、前記入遊技媒体案内路（５２Ａ）に対応して設けられ、該入遊技媒体案内路（５２Ａ）を通過する入遊技媒体を計数する入遊技媒体計数手段（５３Ａ）と、前記景品遊技媒体案内路（５２Ｂ１〜５２Ｂ３）に対応して設けられ、該景品遊技媒体案内路（５２Ｂ１〜５２Ｂ３）を通過する景品遊技媒体を計数する景品遊技媒体計数手段（５３Ｂ１〜５３Ｂ３）と、を備えることを特徴とする遊技媒体計数器（５０）。
【０００９】
［２］前記入遊技媒体計数手段（５３Ａ）により計数された入遊技媒体情報と、前記景品遊技媒体計数手段（５３Ｂ１〜５３Ｂ３）により計数された景品遊技媒体情報とを、それぞれ出力する出力手段を備えたことを特徴とする［１］に記載の遊技媒体計数器（５０）。
【００１０】
［３］前記入遊技媒体計数手段（５３Ａ）と、該入遊技媒体計数手段（５３Ａ）により計数された入遊技媒体情報を出力する前記出力手段とは、前記入遊技媒体案内路（５２Ａ）に対応して設けられ、該入遊技媒体案内路（５２Ａ）を通過する入遊技媒体を検出する度に検出信号を出力するセンサから成ることを特徴とする［２］に記載の遊技媒体計数器（５０）。
【００１１】
［４］前記景品遊技媒体計数手段（５３Ｂ１〜５３Ｂ３）と、該景品遊技媒体計数手段（５３Ｂ１〜５３Ｂ３）により計数された景品遊技媒体情報を出力する前記出力手段とは、前記景品遊技媒体案内路（５２Ｂ１〜５２Ｂ３）に対応して設けられ、該景品遊技媒体案内路（５２Ｂ１〜５２Ｂ３）を通過する景品遊技媒体を検知する度に検知信号を出力するセンサから成ることを特徴とする［２］または［３］に記載の遊技媒体計数器（５０）。
【００１２】
［５］前記入遊技媒体案内路（５２Ａ）は、元々は前記景品遊技媒体案内路（５２Ｂ１〜５２Ｂ３）を成す複数並設された各案内路（５２）のうちの少なくとも１つを利用して構成したことを特徴とする［１］，［２］，［３］または［４］に記載の遊技媒体計数器（５０）。
【００１３】
本発明は、次のように作用する。  
前記［１］に記載の遊技媒体計数器（５０）によれば、入遊技媒体を案内する入遊技媒体案内路（５２Ａ）と、景品遊技媒体を案内する景品遊技媒体案内路（５２Ｂ１〜５２Ｂ３）とは、一ユニットとして配置され、入遊技媒体案内路（５２Ａ）に対応して入遊技媒体計数手段（５３Ａ）が設けられ、景品遊技媒体案内路（５２Ｂ１〜５２Ｂ３）に対応して景品遊技媒体計数手段（５３Ｂ１〜５３Ｂ３）が設けられる。
【００１４】
それにより、従来は全く別々であった入玉の計数器や景品玉の計数器が、一ユニットとしてまとめて構成され、主要部品である案内路（５２）や計数手段（５３）は共通化することができ、また外郭となるケース本体等は１つだけ用意すれば足りる。また、従来は全く別々の箇所に配置していた２つの計数器を、１箇所にまとめて１つ分の計数器の設置スペースに収めることにより、省スペース化の要請にも応じることができる。
【００１５】
遊技機（１０）に投入されて遊技に用いられた入遊技媒体は、複数の案内路（５２）のうちの入遊技媒体案内路（５２Ａ）に案内されて、この入遊技媒体案内路（５２Ａ）に対応して設けられた入遊技媒体計数手段（５３Ａ）によって計数される。一方、遊技機（１０）から賞出されて遊技者が遊技により獲得した景品遊技媒体は、複数の案内路（５２）のうちの景品遊技媒体案内路（５２Ｂ１〜５２Ｂ３）に案内されて、この景品遊技媒体案内路（５２Ｂ１〜５２Ｂ３）に対応して設けられた景品遊技媒体計数手段（５３Ｂ１〜５３Ｂ３）によって計数される。
【００１６】
また、前記［２］に記載した遊技媒体計数器（５０）は、入遊技媒体計数手段（５３Ａ）により計数された入遊技媒体情報と、景品遊技媒体計数手段（５３Ｂ１〜５３Ｂ３）により計数された景品遊技媒体情報とを、それぞれ出力する出力手段を備えるので、この出力手段によって、計数結果である入遊技媒体情報や景品遊技媒体情報をホールコンピュータ等の外部装置へ出力することができる。
【００１７】
このように、本発明に係る１つの遊技媒体計数器（５０）によって計数された入遊技媒体情報と景品遊技媒体情報とは、１つの遊技媒体計数器（５０）から外部に出力することができるので、例えば、ホールコンピュータ等の外部装置と遊技媒体計数器（５０）とを信号線を介して接続する配線処理を、１系統にまとめて簡略化することができる。
【００１８】
出力手段としては、計数手段（５３）を構成するセンサ自身でも良いし、あるいは計数手段（５３）を構成するセンサとは別に、センサからの信号を集計して出力するような制御手段（の送信機能）としても考えられる。
【００１９】
具体的には例えば、前記［３］に記載したように、前記入遊技媒体計数手段（５３Ａ）と、該入遊技媒体計数手段（５３Ａ）により計数された入遊技媒体情報を出力する前記出力手段とを、前記入遊技媒体案内路（５２Ａ）に対応して設けられ、該入遊技媒体案内路（５２Ａ）を通過する入遊技媒体を検出する度に検出信号を出力するセンサから構成すれば、入遊技媒体計数手段（５３Ａ）とこの出力手段とを簡易な構成により実現することができる。
【００２０】
また、前記［４］に記載したように、前記景品遊技媒体計数手段（５３Ｂ１〜５３Ｂ３）と、該景品遊技媒体計数手段（５３Ｂ１〜５３Ｂ３）により計数された景品遊技媒体情報を出力する前記出力手段とを、前記景品遊技媒体案内路（５２Ｂ１〜５２Ｂ３）に対応して設けられ、該景品遊技媒体案内路（５２Ｂ１〜５２Ｂ３）を通過する景品遊技媒体を検知する度に検知信号を出力するセンサから構成すれば、景品遊技媒体計数手段（５３Ｂ１〜５３Ｂ３）とこの出力手段とを簡易な構成により実現することができる。
【００２１】
以上のような遊技媒体計数器（５０）は、前記［５］に記載したように、元々は景品遊技媒体の計数器であったものを利用して、簡易に構成することができる。すなわち、前記入遊技媒体案内路（５２Ａ）を、元々は景品遊技媒体の計数器において、景品遊技媒体案内路（５２Ｂ１〜５２Ｂ３）を成す複数並設された各案内路（５２）のうちの少なくとも１つを利用して構成し、この案内路（５２）に対応して設けられている計数手段（５３）を入遊技媒体計数手段（５３Ａ）に転用すれば良い。
【発明の効果】
【００２２】
本発明に係る遊技媒体計数器によれば、案内路は、入遊技媒体を案内する入遊技媒体案内路と、景品遊技媒体を案内する景品遊技媒体案内路と、から成り、入遊技媒体案内路および景品遊技媒体案内路は一ユニットとして配置され、計数手段は、入遊技媒体案内路に対応して設けられた入遊技媒体計数手段と、景品遊技媒体案内路に対応して設けられた景品遊技媒体計数手段と、を備えるから、従来は全く別々であった入玉の計数器や景品玉の計数器を、一ユニットとして部品を共通化したりまとめて構成することにより、大幅なコストダウンを図ることができると共に、省スペース化の要請にも応じることができ、配線処理も簡略化することが可能となる。
【００２３】
また、入遊技媒体計数手段により計数された入遊技媒体情報と、景品遊技媒体計数手段により計数された景品遊技媒体情報とを、それぞれ出力する出力手段を備えるようにすることで、この出力手段によって、計数結果である入遊技媒体情報や景品遊技媒体情報を外部装置へ出力することができ、出力するための配線処理も１系統にまとめて簡略化することができる。
【００２４】
さらにまた、前記入遊技媒体案内路を、元々は前記景品遊技媒体案内路を成す複数並設された各案内路のうちの少なくとも１つを利用して構成することにより、元々は景品遊技媒体の計数器であったものから、本発明に係る遊技媒体計数器を簡易に構成することができる。
【発明を実施するための最良の形態】
【００２５】
以下、図面に基づき、本発明を代表する一の実施の形態を説明する。  
図１〜図１０は、本発明の一実施の形態を示している。  
本実施の形態に係る遊技媒体計数器５０は、遊技媒体としてのパチンコ玉（以下、単に「玉」とも略す。）を計数するための計数器であり、以下に、２台の遊技機１０を左右に並設して成る小型の遊技機島１に設置した場合を例に説明する。
【００２６】
先ず、遊技機島１および遊技機１０の概要から説明する。図１は、遊技機島１を概略的に示す正面図であり、図３は、同じく遊技機島１を概略的に示す側面図である。また、図４は、遊技機１０を拡大して示す正面図である。遊技機１０は、遊技者がパチンコ玉を打ち出して遊技を行う遊技機本体１１と、有価価値カードの挿入によりパチンコ玉を貸し出すカードユニット（ＣＲ玉貸機）２０とから成る。
【００２７】
図１に示すように、遊技機島１は、フロア上に載置するベース台２と、ベース台２上に立設支持される支柱部３と、支柱部３の両側面に遊技機１０を組み付けるフレーム部４とにより構成されている。なお、フレーム部４は、支柱部３の両側面にネジ等によって着脱自在に取り付けられている。
【００２８】
図４に示すように、遊技機本体１１は、額縁状に形成され正面のガラスを固定するガラス枠１２と、遊技者により発射された玉が移動しゲームを進行させるための部品が取り付けられた遊技盤１３等を有している。ガラス枠１２の下部表面には、貸玉や賞玉を貯留する上受け皿１４と、該上受け皿１４から溢れ出た玉を貯留する下受け皿１５と、前記上受け皿１４に貯留された玉を抜き出すための上受け皿玉抜きレバー１４ａと、前記下受け皿１５に貯留した玉を抜き出すための下受け皿玉抜きレバー１５ａと、遊技者が玉の打ち出し操作を行うハンドル１６等が設けられている。
【００２９】
また、カードユニット２０の操作を遊技者が行うための装置として、有価価値カードの残余度数を表示し確認するための度数表示部２２と、パチンコ玉の貸出操作を行うための貸出ボタン２３と、有価価値カードの返却操作を行うための返却ボタン２４が、上受け皿１４の近傍に設けられており、これらの出力端子は操作パネル基板（図示せず。）を介して、後述する制御部１００に信号線により接続されている。
【００３０】
遊技盤１３上には、打ち込まれたパチンコ玉の流れに変化を与える多数の釘の他、パチンコ玉を受け入れる各種入賞口や、識別情報を可変表示する可変表示装置１７、何れの入賞口にも入らずに落下したパチンコ玉を排出するためのアウト口等が設けられている。各種入賞口としては、パチンコ玉の入賞により可変表示装置１７で識別情報を可変表示する権利が確保される始動口１８、入賞率が高まる特賞状態の発生を演出する大入賞口１９等が設けられている。
【００３１】
各種入賞口にパチンコ玉が入賞すると、それぞれの入賞口ごとに付設されたスイッチにより入賞玉が検出され、入賞玉が検出される度に各入賞口に割り当てられた所定数の賞玉が払い出される。例えば、本遊技機１０の場合は、始動口１８に入賞した場合は５個、大入賞口１９に入賞した場合は１５個、それ以外の入賞口に入賞（通過）した場合は８個等と割り当てられている。賞玉数の割り当ては入賞口ごとに固定化しているが、遊技機の機種の仕様に応じて任意に変更することもできる。
【００３２】
前記可変表示装置１７は、その画面中に識別情報としての各種図柄を変動表示可能な複数の表示領域を備え、液晶ユニットにより構成されているが、ＣＲＴ表示器、ドラムユニット、７セグメント表示器等を採用しても良い。前記始動口１８にパチンコ玉が入賞すると、可変表示装置１７における可変表示の権利が獲得されて可変表示が実行される。可変表示では、全体としてスロットマシンにおける図柄合わせゲームに見立てた識別情報のスクロール表示が展開される。
【００３３】
前記可変表示の表示結果が、識別情報の予め定めた特定の組み合わせ（例えば「５５５」とぞろ目に揃った場合等）である大当たりに確定すると、大入賞口１９が所定回数を限度に繰り返し開閉する特賞状態が形成される。また、可変表示遊技の表示結果が、前記識別情報のうちの確変図柄（例えば奇数図柄「１」、「３」、「５」、「７」、「９」）の何れかで揃った確変大当たりに確定した場合には、確率変動状態を伴う特賞状態が発生することになる。
【００３４】
すなわち、確変図柄で揃った確変大当たりが確定すると、これに基づき発生した特賞状態が終了した後、次回の特賞状態が発生するまで、可変表示遊技の表示結果が特定表示態様に確定する確率が高確率に変化する。このように、通常の遊技状態（低確率状態）に比べて、特定表示態様に確定する確率が高まった遊技状態が、確率変動状態（または「確変状態」、「確変モード」とも言う。）である。
【００３５】
カードユニット２０は、プリペイドカード等の有価価値カードを差し込むためのカード挿入口２１を有している。このカード挿入口２１に有価価値カードを差し込み、前記貸出ボタン２３により投入金額を指定することで、所定数の貸玉が上受け皿１４へ払い出されるようになっている。なお、遊技機本体１１の背面側には、図示省略したが各種機能別の制御基板が配設されており、これらの制御基板は後述する制御部１００に信号線を介して接続されている。
【００３６】
図１，図３に示すように、遊技機島１には、２台の前述した遊技機１０の他、各遊技機１０からパチンコ玉を回収するための玉回収機構、回収されたパチンコ玉を揚送する揚送機構、揚送されたパチンコ玉を再び各遊技機１０に配給する配給機構、遊技機１０に関する各種情報を表示する情報表示装置９０、それに各種関連機器を制御するための制御部１００等が、それぞれ島設備として組み付けられている。
【００３７】
玉回収機構は、各遊技機１０ごとに対応して設けられており、遊技機本体１１の下受け皿１５の下方を臨む位置で開口し、遊技機本体１１の下側まで延びるように配設されたホッパー状の景品玉回収部３０と、遊技機本体１１の下部後方に配設された入玉回収部４０と、前記景品玉回収部３０の下流端および前記入玉回収部４０の下流端がそれぞれ連通接続し、パチンコ玉を計数する遊技媒体計数器５０と、遊技機１０の下方側に配設される下部タンク６０とを備えている。
【００３８】
景品玉回収部３０は、下受け皿１５から溢れ出た景品玉（パチンコ玉）を受け入れるものであり、図３に示すように、下受け皿１５の下方を臨む位置で開口する受入口３１と、該受入口３１の底部に連通接続した状態で遊技機本体１１の下側まで延びる景品玉通路３２とから成る。ここで景品玉とは、遊技者が遊技機１０での遊技により獲得した遊技媒体（パチンコ玉）の意味であり、「景品遊技媒体」に相当する。なお、下受け皿１５に設けられている下受け皿玉抜きレバー１５ａを操作することで、下受け皿１５に収容されている玉は、景品玉回収部３０へ強制的に排出できるようになっている。
【００３９】
入玉回収部４０は、遊技機本体１１内で回収された入玉（パチンコ玉）を集中的に受け入れるものであり、図３に示すように、遊技機本体１１内の下方で上向きに開口した受入口４１と、該受入口４１の底部に連なる状態で遊技機本体１１の後部下方へ延びる入玉通路４２とから成る。ここで入玉とは、遊技者が遊技機１１での遊技に用いた遊技媒体（パチンコ玉）の意味であり、「入遊技媒体」に相当する。なお、遊技盤１３に打ち出されて各種入賞口に入ったセーフ玉や、何れの入賞口にも入らなかったアウト玉は、合わせて入玉として入玉回収部４０に回収されるようになっている。
【００４０】
本発明の根幹を成す遊技媒体計数器５０は、図３に示すように、前記景品玉回収部３０の景品玉通路３２の下流端、および入玉回収部４０の入玉通路４２の下流端が、それぞれ連通する位置に配設されており、景品玉と入玉との両方を計数することができ、パチンコ玉を案内する複数の案内路５２，５２…と、各案内路を通過するパチンコ玉を計数する計数手段５３，５３…と、を有して成る。
【００４１】
詳しく言えば遊技媒体計数器５０は、図７，図８に示すように、上部が開口して長手方向に延びる樋状のケース本体５１と、該ケース本体５１の底部で互いに並行に延びるように並設された複数の案内路５２，５２…と、各案内路５２の終端側にそれぞれ設けられた計数手段５３とを備えている。各案内路５２は、前記入玉回収部４０から供給される入玉を案内する入玉案内路（入遊技媒体案内路）５２Ａと、前記景品玉回収部３０から供給される景品玉を案内する景品玉案内路（景品遊技媒体案内路）５２Ｂ１〜５２Ｂ３と、から成る。
【００４２】
入玉案内路５２Ａと景品玉案内路５２Ｂ１〜５２Ｂ３とは、１つのケース本体５１内部に組み込まれており、一ユニットとして配置されている。本実施の形態では、各案内路５２は横４列に並設されているが、案内路５２の数は４つに限られるものではなく、２つあるいは５つ以上でも良い。このような複数の案内路５２のうちの１つが入玉案内路５２Ａとして設定され、残りの３つが景品玉案内路５２Ｂ１〜５２Ｂ３として設定されている。
【００４３】
各案内路５２が互いに長手方向に隣接し合う間には、図８に示すように、それぞれ仕切板５４が設けられており、特に、入玉案内路５２Ａと景品玉案内路５２Ｂ１との間の仕切板５４ａは、他より高く構成されている。各案内路５２は、それぞれ上流側より流入したパチンコ玉を１列に整列させた状態にして通過させるものである。また、各案内路５２は、それぞれ上流端側が下流端側よりも高くなるように配置され、パチンコ玉が自然流下するように設定されている。
【００４４】
計数手段５３は、前記入玉案内路５２Ａに対応して設けられ、該入玉案内路５２Ａを通過する入玉を計数する入玉計数手段（入遊技媒体計数手段）５３Ａと、前記景品玉案内路５２Ｂ１〜５２Ｂ３に対応して設けられ、各景品玉案内路５２Ｂ１〜５２Ｂ３を通過する景品玉を計数する景品玉計数手段（景品遊技媒体計数手段）５３Ｂ１〜５３Ｂ３と、を備える。個々の計数手段５３は、当該部位を通過する玉を１個ずつ検出可能なものであり、具体的には例えば、光センサ、近接センサ、あるいは磁気センサ等の各種センサにより構成すれば良い。
【００４５】
遊技媒体計数器５０は、前記入玉計数手段５３Ａにより計数された入玉信号（入遊技媒体情報）と、前記景品玉計数手段５３Ｂ１〜５３Ｂ３により計数された景品玉信号１〜３（景品遊技媒体情報）とを、それぞれ出力する出力手段を備えるが、本実施の形態では、前述した計数手段５３を構成するセンサ自体が、それぞれ計数結果を外部に出力するための出力手段を兼ねており、各計数手段５３は、それぞれ信号線を介して制御部１００に接続されている。
【００４６】
すなわち、入玉計数手段５３Ａと、これにより計数された入玉信号を出力する出力手段とは、入玉案内路５２Ａの終端側に設けられ、該入玉案内路５２Ａを通過する入玉を検出する度に入玉信号（検出信号）を出力するセンサから成る。また、景品玉計数手段５３Ｂ１〜５３Ｂ３と、これにより計数された景品玉信号を出力する出力手段とは、景品玉案内路５２Ｂ１〜５２Ｂ３の終端側に設けられ、各景品玉案内路５２Ｂ１〜５２Ｂ３を通過する景品玉を検知する度に景品玉信号１〜３（検知信号）を出力するセンサから成る。
【００４７】
各案内路５２の上流側が配されるケース本体５１の一端側には、前記景品玉回収部３０や前記入玉回収部４０からパチンコ玉を受け入れて、各案内路５２内へ導入させるための取込ステージ５５が形成されている。この取込ステージ５５は、入玉回収部４０の入玉通路４２の下流端が連通接続し、入玉案内路５２Ａの始端側が開口した入玉用ライン５５Ａと、景品玉回収部３０の景品玉通路３２の下流端が連通接続し、景品玉案内路５２Ｂ１〜５２Ｂ３の各始端側がそれぞれ開口した景品玉用ステージ５５Ｂと、から成る。図７に示すように、入玉用ライン５５Ａと景品玉用ステージ５５Ｂとの間は、入玉回収部４０の入玉通路４２の下端縁によって互いに玉が流入し合わないように仕切られている。
【００４８】
各案内路５２の下流側が配されるケース本体５１の他端側は、図３に示すように、下方に位置する下部タンク６０内を臨むように設定されている。下部タンク６０は、前記遊技媒体計数器５０から排出されたパチンコ玉を受け入れて、再び遊技機本体１１から賞玉および貸玉として払い出すためのパチンコ玉を貯留するものである。下部タンク６０の底部下流端は、その直ぐ下側に配された揚送装置７０に連通接続しており、下部タンク６０に貯留されたパチンコ玉は、揚送装置７０によって研磨されながら揚送される。
【００４９】
次に、前記玉回収機構により集められた玉を揚送する揚送機構について説明する。図３，図１に示すように、揚送機構は、２つの遊技機１０に対して１つがまとめて設けられており、前記下部タンク６０から供給されたパチンコ玉を研磨しながら揚送する揚送装置７０と、この揚送装置７０に連通接続され、遊技機１０の背面側を通り上方へ延びる移送路７２とを備えている。
【００５０】
揚送装置７０は、パチンコ玉を駆動力により払い出して揚送するものであり、パチンコ玉を研磨するための研磨手段も備えている。揚送装置７０は、遊技機１０とは別体として遊技機１０外部に設けられ、遊技機１０の下方に配置される揚送装置本体７１を備えている。かかる揚送装置７０としては、具体的には例えば、本出願人が既に提案している特開平９−２９００５８号公報に記載された発明等を利用すると良い。なお、揚送装置７０の駆動は、制御部１００により所定プログラムに従って制御されるように設定されている。
【００５１】
移送路７２は、その下端口が揚送装置本体７１の玉排出口に連通接続され、揚送装置本体７１より緩やかに湾曲して立ち上がり遊技機１０の上方へ延びている。移送路７２自体の構造は、具体的には例えば、パチンコ玉の直径よりわずかに大きい内径を有し、パチンコ玉を１列に整列させた状態で移送するパイプ部材から構成したり、他に、長手方向に細幅に延びる２枚の溝状断面形状の部材を、その溝同士を合わせ、そのフランジ同士を接合することで、パチンコ玉を通過可能な移送路として形成しても良い。移送路７２の上端は、遊技機島１の支柱部３の上部内に配設された上部タンク８０に連通している。
【００５２】
次に、前記揚送機構により揚送されたパチンコ玉を再び各遊技機１０に配給するための配給機構について説明する。図１，図３に示すように、配給機構は、前記上部タンク８０と、該上部タンク８０の底部両側より左右に向かってそれぞれ斜め下方へ延びる一対の補給樋８１，８１と、各補給樋８１の途中に配設され、その真下に位置する遊技機１０に対応して、それぞれ補給樋８１を流下するパチンコ玉を整列させた状態で落下させる整列樋８２とを備えている。
【００５３】
整列樋８２と遊技機１０とは、落下する遊技球を導くジャバラ８３により連通している。また、遊技機１０の背面側上部には、ジャバラ８３を介して補給されたパチンコ玉を計数するための補給玉計数器８４が設けられており、補給されたパチンコ玉は、後述する貸玉信号や賞玉信号に応じて、補給玉計数器８４で計数された後、再び遊技機本体１１の内部に補給されるように設定されている。
【００５４】
次に、前記遊技機１０に関する各種情報を表示する情報表示装置９０について説明する。図１に示すように、情報表示装置９０は、遊技機島１の支柱部３の前面側に一体に設けられており、各種情報を表示する表示部９１と、会員カード（および非会員用ビジターカード）を挿入するためのカード挿排口９２、遊技者が暗証番号を入力する等の各種操作を行う操作部９３、それに各種情報を印刷したレシートを払い出すレシート発券口９４とを備えている。
【００５５】
表示部９１は、左右の遊技機１０ごとに対応するように、図示省略したが画面が２分されるようになっており、それぞれの左右の遊技機１０に関して、具体的には例えば、特賞状態の発生回数である「特賞回数」や、始動口１８にパチンコ玉が入賞した回数、もしくは始動口１８にパチンコ玉が入賞して可変表示を実行した回数である「スタート信号」等の他、前記遊技媒体計数器５０によって計数された結果が「持玉」として累計されて表示されるように設定されている。なお、精算時には前記「持玉」等が印刷されたレシートが、レシート発券口９４から払い出されるようになっている。
【００５６】
次に、遊技機島１に設置されている各種関連機器を制御するための制御部１００について説明する。制御部１００は、専用のケースに納められ、外部からのゴミや他の設備機器からのこぼれ玉、さらには静電気、電気ノイズからも保護された状態で、遊技機島１における支持台３の底部に配置されている。
【００５７】
図１０に示すように、制御部１００は、ＣＰＵ，ＲＯＭ，ＲＡＭを具備したマイクロコンピュータからなり、遊技機１０や遊技媒体計数器５０から出力された各種信号を集中的に管理する主制御部１０１と、遊技機１０からの各種信号を受信するための遊技機Ｉ／Ｆ１０２と、遊技媒体計数器５０からの各種信号を受信するための計数器Ｉ／Ｆ１０３と、情報表示装置９０におけるレシート発券口９４の内部に設けられたレシート発券機１９４の制御を掌るレシート発券制御部１０４と、情報表示装置９０におけるカード挿排口９２の内部に設けられたカードＲ／Ｗ１９２の制御を掌るカード制御部１０５とを有している。
【００５８】
さらに、制御部１００は、情報表示装置９０における表示部９１の表示内容の制御を掌る表示制御部１０６と、情報表示装置９０における操作部９３からの操作信号を受信するためのＩ／Ｆ１０７と、ホールコンピュータ２００との間における各種信号の送受信を制御するホールコンピュータＩ／Ｆ１０８等を有している。
【００５９】
主制御部１０１には、遊技機１０側にある制御基板から出力される貸玉信号、賞玉信号、特賞信号、確変信号、スタート信号等の各種信号が遊技機Ｉ／Ｆ１０２を介して入力され、バックアップメモリに収集管理される。ここで、貸玉信号は、カードユニット（ＣＲ玉貸機）２０から遊技者に貸し出された貸玉を計数した信号であり、賞玉信号は、各種入賞口にパチンコ玉が入賞した際に払い出された賞玉（出玉）を計数した信号である。
【００６０】
特賞信号は、前記特賞状態が発生したことを特定する信号であり、確変信号は、前記確率変動状態が発生したことを特定する信号であり、スタート信号は、始動口１８にパチンコ玉が入賞したことを特定する信号、もしくは始動口１８にパチンコ玉が入賞して可変表示遊技を実行したことを特定する信号である。もちろん、遊技機１０側から出力される信号は、これらに限られるものではない。なお、遊技機１０側から収集された各種信号は、ホールコンピュータＩ／Ｆ１０８を介してホールコンピュータ２００へも送信される。
【００６１】
また、主制御部１０１には、遊技媒体計数器５０から出力される景品玉信号１、景品玉信号２、景品玉信号３、それに入玉信号が、それぞれ計数器Ｉ／Ｆ１０３を介して入力され、バックアップメモリに収集管理される。ここで景品玉信号１は、前記景品玉計数手段５３Ｂ１から出力された景品玉を計数した信号であり、景品玉信号２は、前記景品玉計数手段５３Ｂ２から出力された景品玉を計数した信号であり、景品玉信号３は、前記景品玉計数手段５３Ｂ３から出力された景品玉を計数した信号である。
【００６２】
入玉信号は、前記入玉計数手段５３Ａから出力された入玉を計数した信号である。もちろん、遊技媒体計数器５０側から出力される信号は、これらに限られるものではない。なお、遊技媒体計数器５０側から収集された各種信号は、ホールコンピュータＩ／Ｆ１０８を介してホールコンピュータ２００へも送信される。
【００６３】
ホールコンピュータ２００は、遊技場全体を管理するものであり、基本的な構成は、ＣＰＵ，ＲＯＭ，ＲＡＭを具備したマイクロコンピュータからなり、遊技場に設置されている遊技機島１の遊技機１０、遊技媒体計数器５０、揚送装置７０、情報表示装置９０等と、これらの関連装置を集中管理する。ホールコンピュータ２００には、遊技場における各種情報を従業員に報知するための報知手段として、表示出力装置としてのディスプレイ２０１、印刷出力装置としてのプリンタ２０２、スピーカー等の音声出力装置２０３とインカム２０４、それに操作入力手段としてのキーボード２０５等がそれぞれ接続されている。
【００６４】
以下、前述した実施の形態の作用について説明する。  
先ず、遊技媒体計数器５０は、入玉を案内する入玉案内路５２Ａと、景品玉を案内する景品玉案内路５２Ｂ１〜５２Ｂ３とが、１つのケース本体５１内の底部に横４列に配設されることで一ユニットとして配置され、入玉案内路５２Ａの終端に入玉計数手段５３Ａが設けられ、各景品玉案内路５２Ｂ１〜５２Ｂ３の終端に景品玉計数手段５３Ｂ１〜５３Ｂ３が設けられて構成される。
【００６５】
このように、遊技媒体計数器５０は、遊技者が遊技機１０で遊技したパチンコ玉である入玉と、遊技機１０で遊技して獲得したパチンコ玉である景品玉とを両方まとめて計数できるので、従来のように入玉回収部に入玉計数器を付ける必要がないので入玉回収部で整列させて入玉を計数する構造を持たせることが不要となると共に、元々は景品玉の計数器であったものを利用して簡易に構成することができる。
【００６６】
すなわち、元々は景品玉の計数器において、景品玉を計数する複数の案内路の一つを利用し入玉を計数するようにすれば良く、従来は全く別々であった入玉の計数器や景品玉の計数器が、一ユニットとしてまとめてコンパクトに構成され、主要部品である案内路や計数手段は共通化することができ、また外郭となるケース本体５１等は１組だけ用意すれば足りる。従って、特に従来の入玉回収部と計数器を簡素化することができ、遊技機島全体の大幅なコストダウンを図ることができる。
【００６７】
また、１つの遊技媒体計数器５０によって計数された入玉信号と景品玉信号とは、同じ遊技媒体計数器５０から外部に出力することができるので、ホールコンピュータ２００等の外部装置と遊技媒体計数器５０とを信号線を介して接続する配線処理を、１系統にまとめて簡略化することができる。さらに、従来は全く別々の箇所に配置していた２つの計数器を、１箇所にまとめて１つ分の計数器の設置スペースに収めることにより、省スペース化の要請にも応じることができ、遊技機島１内部における他の装置の取り付けスペースを十分に確保することが可能となる。
【００６８】
次に、遊技機島１内におけるパチンコ玉の流れ、および遊技媒体計数器５０における計数処理について説明する。図４において、カードユニット２０のカード挿入口２１に遊技者が有価価値カードを差し込み、貸出ボタン２３により投入金額を指定することで、金額に応じた所定数の貸玉が上受け皿１４へ払い出される。遊技者がハンドル１６を回転操作すると、上受け皿１４内のパチンコ玉は遊技盤１３上に１つずつ打ち出される。各種入賞口に打玉が入賞すると、それぞれの入賞口ごとに割り当てられた所定数の賞玉が、同じく上受け皿１４へ払い出される。
【００６９】
図３において、遊技盤１３上に打ち出されたパチンコ玉は、入玉回収部４０に回収され、遊技媒体計数器５０に導入されて計数された後、下部タンク６０へ落下する。また、遊技により払い出された賞玉は、上受け皿１４から溢れ出ると下受け皿１５へ流下し、さらに下受け皿１５を溢れ出た分は、下方にある景品玉回収部３０に回収され、遊技媒体計数器５０に導入されて計数された後、下部タンク６０へ流下する。ここで遊技媒体計数器５０によって計数された景品玉は、図１に示す情報表示装置９０の表示部９１に累計された持玉として表示される。以下、景品玉と入玉とに分けて詳しく説明する。
【００７０】
下受け皿１５から溢れ出た景品玉は、図１，図３に示すように、景品玉回収部３０の受入口３１に落下し景品玉通路３２を流下して、そのまま遊技媒体計数器５０に導かれる。図８，図５に示すように、景品玉回収部３０の景品玉通路３２から排出された景品玉は、遊技媒体計数器５０のケース本体５１の一端側にある景品玉用ステージ５５Ｂに取り込まれた後、各景品玉案内路５２Ｂ１〜５２Ｂ３に流入する。
【００７１】
各景品玉案内路５２Ｂ１〜５２Ｂ３を通過する景品玉は、各景品玉案内路５２Ｂ１〜５２Ｂ３の終端側にある景品玉計数手段５３Ｂ１〜５３Ｂ３によって順次計数される。ここで各景品玉計数手段５３Ｂ１〜５３Ｂ３は、それぞれ景品玉を１つずつ検出する度に景品玉信号１〜３を出力する。
【００７２】
一方、遊技機本体１１内で回収された入玉は、図２，図３に示すように、入玉回収部４０の受入口４１に落下し入玉通路４２を流下して、そのまま遊技媒体計数器５０に導かれる。図９，図６に示すように、入玉回収部４０の入玉通路４２から排出された入玉は、遊技媒体計数器５０のケース本体５１の一端側にある入玉用ライン５５Ａに取り込まれた後、１本の入玉案内路５２Ａに流入する。入玉案内路５２Ａを通過する入玉は、入玉案内路５２Ａの終端側にある入玉計数手段５３Ａによって順次計数される。ここで入玉計数手段５３Ａは、入玉を１つずつ検出する度に入玉信号を出力する。
【００７３】
遊技媒体計数器５０より出力された入玉に関する入玉信号、および景品玉に関する景品玉信号１〜３は、それぞれ制御部１００の計数器Ｉ／Ｆ１０３を介して主制御部１０１に入力され、バックアップメモリに収集管理される。さらに、これらのパチンコ玉の計数に関する信号は、ホールコンピュータＩ／Ｆ１０８を介してホールコンピュータ２００へも送信される。
【００７４】
前述したように遊技媒体計数器５０により計数されたパチンコ玉は、図３に示すように下部タンク６０に貯留され、揚送装置７０に随時受け入れられて、前記制御部１００の主制御部１０１により駆動制御される揚送装置本体７１により研磨されつつ払い出され、移送路７２を通って上部タンク８０まで揚送される。そして、上部タンク８０内のパチンコ玉は、補給樋８１を流下して整列樋８２を介して再び遊技機１０へ補給される。
【００７５】
以上、本発明の実施の形態を図面によって説明してきたが、具体的な構成はこれらの実施の形態に限られるものではなく、本発明の要旨を逸脱しない範囲における変更や追加があっても本発明に含まれる。また、前述した実施の形態では、本発明に係る遊技機をパチンコ機に適用した場合について説明したが、遊技機はパチンコ機に限られず、プログラム制御されるスマートボールゲーム機、アレンジボールゲーム機といった他の遊技機にも同様に本発明を適用することができる。
【００７６】
また、遊技機１０は、遊技媒体がパチンコ玉であるものに限られず、メダルやコインを遊技媒体とするスロットマシン等を遊技機として、メダルやコインを計数するような遊技媒体計数器として構成しても良い。また、前記実施の形態では、２台の遊技機１０を左右に並べて並設して成る小型の遊技機島１について説明したが、遊技媒体計数器５０を備える遊技機島の構成はこれに限られるものではなく、１台の遊技機から構成した単体島に適用したり、あるいは３台以上の遊技機を列設して成る遊技機島に適用することもできる。
【００７７】
また、前記実施の形態では、遊技媒体計数器５０に関して、横４列の案内路５２を相互に並列させて配設したが、案内路５２の数はこれに限るものではなく、２列あるいは５列以上の多列状に配しても良い。また、入玉案内路５２Ａの数も１つに限られるものではない。
【００７８】
また、遊技媒体計数器５０によって計数された入玉信号や景品玉信号を出力する外部装置は、制御部１００、ホールコンピュータ２００および情報表示装置９０に限らず、他に例えば、遊技機１０ごとに設けられた呼出ランプを含めるようにしても良い。また、前記実施の形態では、入玉信号や景品玉信号を出力する出力手段としては、計数手段５３を構成するセンサ自身として説明したが、あるいはセンサからの信号を集計して出力するような制御部１００の送信機能として捉えることも可能である。
【００７９】
また、遊技媒体計数器５０で計数したパチンコ玉数である持玉は、情報表示装置９０の表示部９１に表示するようにしたが、他に例えば、遊技機本体１１あるいはカードユニット２０の適所に表示部を設けて、情報表示装置９０における表示に代えて、あるいは加えて、遊技機本体１１あるいはカードユニット２０の表示部に持玉を表示するように構成しても良い。
【００８０】
さらにまた、前記実施の形態では、入賞に基づく賞玉と貸出動作に基づく貸玉とを併せて遊技者の持玉として処理しているが、例えば、賞玉と貸玉とをそれぞれの払い出し動作に基づき別々に集計して外部表示するようにしても良い。また、前記実施の形態では、遊技媒体貸機を有価価値カードのみ扱うカードユニットとして構成したが、紙幣のみ、あるいは有価価値カードと紙幣を扱える玉貸機としても良い。
【図面の簡単な説明】
【００８１】
【図１】本発明の一実施の形態に係る遊技媒体計数器を備えた遊技機島の全体を内部機構も含めて概略的に示し、合わせて景品玉の流れを示した正面図である。
【図２】本発明の一実施の形態に係る遊技媒体計数器を備えた遊技機島の全体を内部機構も含めて概略的に示し、合わせて入玉の流れを示した正面図である。
【図３】本発明の一実施の形態に係る遊技媒体計数器を備えた遊技機島の全体を内部機構も含めて概略的に示し、合わせて景品玉および入玉の流れを示した側面図である。
【図４】本発明の一実施の形態に係る遊技媒体計数器を利用する遊技機を示す正面図である。
【図５】本発明の一実施の形態に係る遊技媒体計数器において景品玉の流れを示す正面図である。
【図６】本発明の一実施の形態に係る遊技媒体計数器において入玉の流れを示す正面図である。
【図７】本発明の一実施の形態に係る遊技媒体計数器において景品玉および入玉の流れを示す拡大側面図である。
【図８】本発明の一実施の形態に係る遊技媒体計数器において景品玉の流れを示す平面図である。
【図９】本発明の一実施の形態に係る遊技媒体計数器において入玉の流れを示す平面図である。
【図１０】本発明の一実施の形態に係る遊技媒体計数器を含むシステム構成を示すブロック図である。
【符号の説明】
【００８２】
１…遊技機島
２…ベース台
３…支柱部
４…フレーム部
１０…遊技機
１１…遊技機本体
１２…ガラス枠
１３…遊技盤
１４…上受け皿
１４ａ…上受け皿玉抜きレバー
１５…下受け皿
１５ａ…下受け皿玉抜きレバー
１６…ハンドル
１７…可変表示装置
１８…始動口
１９…大入賞口
２０…カードユニット
２１…カード挿入口
２２…度数表示部
２３…貸出ボタン
２４…返却ボタン
３０…景品玉回収部
３１…受入口
３２…景品玉通路
４０…入玉回収部
４１…受入口
４２…入玉通路
５０…遊技媒体計数器
５１…ケース本体
５２…案内路
５２Ａ…入玉案内路
５２Ｂ１…景品玉案内路
５２Ｂ２…景品玉案内路
５２Ｂ３…景品玉案内路
５３…計数手段
５３Ａ…入玉計数手段
５３Ｂ１…景品玉計数手段
５３Ｂ２…景品玉計数手段
５３Ｂ３…景品玉計数手段
５４…仕切板
５４ａ…仕切板
５５…取込ステージ
５５Ａ…入玉用ライン
５５Ｂ…景品玉用ステージ
６０…下部タンク
７０…揚送装置
７１…揚送装置本体
７２…移送路
８０…上部タンク
８１…補給樋
８２…整列樋
８３…ジャバラ
８４…補給玉計数器
９０…情報表示装置
９１…表示部
９２…カード挿排口
９３…操作部
９４…レシート発券口
１００…制御部
１０１…主制御部
１０２…遊技機Ｉ／Ｆ
１０３…計数器Ｉ／Ｆ
１０４…レシート発券制御部
１０５…カード制御部
１０６…表示制御部
１０７…Ｉ／Ｆ
１０８…ホールコンピュータＩ／Ｆ
１９２…カードＲ／Ｗ
１９４…レシート発券機
２００…ホールコンピュータ
２０１…ディスプレイ
２０２…プリンタ
２０３…音声出力装置
２０４…インカム
２０５…キーボード
【図１】
2005349062.tif 000003
【図２】
2005349062.tif 000004
【図３】
2005349062.tif 000005
【図４】
2005349062.tif 000006
【図５】
2005349062.tif 000007
【図６】
2005349062.tif 000008
【図７】
2005349062.tif 000009
【図８】
2005349062.tif 000010
【図９】
2005349062.tif 000011
【図１０】
2005349062.tif 000012